(57)【要約】接続されるテレビ受像機上で、早送りモード及び低速モードでビデオプログラムを再生可能なビデオ再生装置に使用する、早送りモード及び低速モードでビデオプログラムに関連付けられるオーディオトラックを再生する装置を開示する。この装置は、１）早送りモード時のビデオプログラムの加速の相対量を指示するユーザ入力コマンドを受信可能なビデオ再生コントローラと、２）オーディオトラックを受信し、最小のピッチ歪みでオーディオトラックの所要時間を圧縮可能なオーディオプロセッサと、３）オーディオプロセッサに接続され、早送りモード時に、圧縮されたオーディオトラックとビデオプログラムに関連付けられる加速されるビデオ信号を受信可能なビデオプロセッサとを含み、圧縮は、ビデオプログラムの加速の相対量に比例し、ビデオプロセッサは、圧縮されたオーディオトラックと加速されるビデオ信号を同期させて、テレビ受像機に送信する
2004511970.tif 000002
【特許請求の範囲】
【請求項１】
接続されるテレビ受像機上で、早送りモード及び低速モードでビデオプログラムを再生可能なビデオ再生装置に使用するための、上記早送りモード及び上記低速モードで上記ビデオプログラムに関連付けられるオーディオトラックを再生する機器であって、
上記早送りモード時の上記ビデオプログラムの加速の相対量を指示するユーザ入力コマンドを受信可能なビデオ再生コントローラと、
上記オーディオトラックを受信し、最小のピッチ歪みで上記オーディオトラックの所要時間を圧縮可能なオーディオプロセッサと、
上記オーディオプロセッサに接続され、上記早送りモード時に、上記圧縮されるオーディオトラックと上記ビデオプログラムに関連付けられる加速されるビデオ信号とを受信可能なビデオプロセッサとを含み、
上記圧縮は、上記ビデオプログラムの上記加速の相対量に比例し、
上記ビデオプロセッサは、上記圧縮されるオーディオトラックと上記加速されるビデオ信号とを同期させて、上記テレビ受像機に送信する機器。
【請求項２】
上記ビデオ再生コントローラは、上記低速モード時の上記ビデオプログラムの減速の相対量を指示するユーザ入力コマンドを受信可能であり、
上記オーディオプロセッサは、最小のピッチ歪みで上記オーディオトラックの所要時間を伸長可能であり、
上記伸長は、上記ビデオプログラムの上記減速の相対量に比例する請求項１記載の機器。
【請求項３】
上記ビデオプロセッサは、上記低速モード時に、上記伸長されたオーディオトラックと上記ビデオプログラムに関連付けられる減速されるビデオ信号とを受信可能であり、
上記ビデオプロセッサは、上記伸長されたオーディオトラックと上記減速されるビデオ信号とを同期させて、上記テレビ受像機に送信する請求項２記載の機器。
【請求項４】
上記オーディオプロセッサに接続され、少なくとも１つの圧縮アルゴリズムに関連付けられる実行可能な命令を格納可能なメモリを更に含む請求項３記載の機器。
【請求項５】
上記メモリは、少なくとも１つの伸長アルゴリズムに関連付けられる実行可能な命令を格納可能である請求項４記載の機器。
【請求項６】
接続されるテレビ受像機上で、早送りモード及び低速モードでビデオプログラムを再生可能なビデオ再生装置であって、
複数のビデオプログラムを格納可能な磁気ディスクドライブと、
上記早送りモード時の再生されるべき第１の選択ビデオプログラムの加速の相対量を指示するユーザ入力コマンドを受信可能なビデオ再生コントローラと、
上記第１の選択ビデオプログラムに関連付けられるオーディオトラックを受信し、最小のピッチ歪みで上記オーディオトラックの所要時間を圧縮可能なオーディオプロセッサと、
上記オーディオプロセッサに接続され、上記早送りモード時に、上記圧縮されるオーディオトラックと上記第１の選択ビデオプログラムに関連付けられる加速されるビデオ信号とを受信可能なビデオプロセッサとを含み、
上記圧縮は、上記第１の選択ビデオプログラムの上記加速の相対量に比例し、
上記ビデオプロセッサは、上記圧縮されるオーディオトラックと上記加速されるビデオ信号とを同期させて、上記テレビ受像機に送信する装置。
【請求項７】
上記ビデオ再生コントローラは、上記低速モード時の上記ビデオプログラムの減速の相対量を指示するユーザ入力コマンドを受信可能であり、
上記オーディオプロセッサは、最小のピッチ歪みで上記オーディオトラックの所要時間を伸長可能であり、
上記伸長は、上記ビデオプログラムの上記減速の相対量に比例する請求項６記載のビデオ再生装置。
【請求項８】
上記ビデオプロセッサは、上記低速モード時に、上記伸長されたオーディオトラックと上記ビデオプログラムに関連付けられる減速されるビデオ信号とを受信可能であり、
上記ビデオプロセッサは、上記伸長されたオーディオトラックと上記減速されるビデオ信号とを同期させて、上記テレビ受像機に送信する請求項７記載のビデオ再生装置。
【請求項９】
上記オーディオプロセッサに接続され、少なくとも１つの圧縮アルゴリズムに関連付けられる実行可能な命令を格納可能なメモリを更に含む請求項８記載のビデオ再生装置。
【請求項１０】
上記メモリは、少なくとも１つの伸長アルゴリズムに関連付けられる実行可能な命令を格納可能である請求項９記載のビデオ再生装置。
【請求項１１】
接続されるテレビ受像機上で、早送りモード及び低速モードでビデオプログラムを再生可能なビデオ再生装置であって、
ビデオカセットテープを受容し、上記ビデオカセットテープ上に格納される第１の選択ビデオプログラムを引出し可能なビデオカセットドライブと、
上記早送りモード時の再生されるべき上記第１の選択ビデオプログラムの加速の相対量を指示するユーザ入力コマンドを受信可能なビデオ再生コントローラと、
上記第１の選択ビデオプログラムに関連付けられるオーディオトラックを受信し、最小のピッチ歪みで上記オーディオトラックの所要時間を圧縮可能なオーディオプロセッサと、
上記オーディオプロセッサに接続され、上記早送りモード時に、上記圧縮されるオーディオトラックと上記第１の選択ビデオプログラムに関連付けられる加速されるビデオ信号とを受信可能なビデオプロセッサとを含み、
上記圧縮は、上記第１の選択ビデオプログラムの上記加速の相対量に比例し、
上記ビデオプロセッサは、上記圧縮されるオーディオトラックと上記加速されるビデオ信号とを同期させて、上記テレビ受像機に送信する装置。
【請求項１２】
上記ビデオ再生コントローラは、上記低速モード時の上記ビデオプログラムの減速の相対量を指示するユーザ入力コマンドを受信可能であり、
上記オーディオプロセッサは、最小のピッチ歪みで上記オーディオトラックの所要時間を伸長可能であり、
上記伸長は、上記ビデオプログラムの上記減速の相対量に比例する請求項１１記載のビデオ再生装置。
【請求項１３】
上記ビデオプロセッサは、上記低速モード時に、上記伸長されたオーディオトラックと上記ビデオプログラムに関連付けられる減速されるビデオ信号とを受信可能であり、
上記ビデオプロセッサは、上記伸長されたオーディオトラックと上記減速されるビデオ信号とを同期させて、上記テレビ受像機に送信する請求項１２記載のビデオ再生装置。
【請求項１４】
上記オーディオプロセッサに接続され、少なくとも１つの圧縮アルゴリズムに関連付けられる実行可能な命令を格納可能なメモリを更に含む請求項１３記載のビデオ再生装置。
【請求項１５】
上記メモリは、少なくとも１つの伸長アルゴリズムに関連付けられる実行可能な命令を格納可能である請求項１４記載のビデオ再生装置。
【請求項１６】
接続されるテレビ受像機上で、早送りモード及び低速モードでビデオプログラムを再生可能なビデオ再生装置であって、
デジタル・バーサトル・ディスク（ＤＶＤ）を受容し、上記デジタル・バーサトル・ディスク上に格納される第１の選択ビデオプログラムを引出し可能なデジタル・バーサトル・ディスクドライブと、
上記早送りモード時の再生されるべき上記第１の選択ビデオプログラムの加速の相対量を指示するユーザ入力コマンドを受信可能なビデオ再生コントローラと、
上記第１の選択ビデオプログラムに関連付けられるオーディオトラックを受信し、最小のピッチ歪みで上記オーディオトラックの所要時間を圧縮可能なオーディオプロセッサと、
上記オーディオプロセッサに接続され、上記早送りモード時に、上記圧縮されるオーディオトラックと上記第１の選択ビデオプログラムに関連付けられる加速されるビデオ信号とを受信可能なビデオプロセッサとを含み、
上記圧縮は、上記第１の選択ビデオプログラムの上記加速の相対量に比例し、
上記ビデオプロセッサは、上記圧縮されるオーディオトラックと上記加速されるビデオ信号とを同期させて、上記テレビ受像機に送信する装置。
【請求項１７】
上記ビデオ再生コントローラは、上記低速モード時の上記ビデオプログラムの減速の相対量を指示するユーザ入力コマンドを受信可能であり、
上記オーディオプロセッサは、最小のピッチ歪みで上記オーディオトラックの所要時間を伸長可能であり、
上記伸長は、上記ビデオプログラムの上記減速の相対量に比例する請求項１６記載のビデオ再生装置。
【請求項１８】
上記ビデオプロセッサは、上記低速モード時に、上記伸長されたオーディオトラックと上記ビデオプログラムに関連付けられる減速されるビデオ信号とを受信可能であり、
上記ビデオプロセッサは、上記伸長されたオーディオトラックと上記減速されるビデオ信号とを同期させて、上記テレビ受像機に送信する請求項１７記載のビデオ再生装置。
【請求項１９】
上記オーディオプロセッサに接続され、少なくとも１つの圧縮アルゴリズムに関連付けられる実行可能な命令を格納可能なメモリを更に含む請求項１８記載のビデオ再生装置。
【請求項２０】
上記メモリは、少なくとも１つの伸長アルゴリズムに関連付けられる実行可能な命令を格納可能である請求項１９記載のビデオ再生装置。
【請求項２１】
接続されるテレビ受像機上で、早送りモード及び低速モードでビデオプログラムを再生可能なビデオ再生装置に使用するための、上記早送りモード及び上記低速モードで上記ビデオプログラムに関連付けられるオーディオトラックを再生する方法であって、
上記早送りモード時の上記ビデオプログラムの加速の相対量を指示するユーザ入力コマンドを受信する段階と、
上記オーディオトラックを受信し、最小のピッチ歪みで上記オーディオトラックの所要時間を圧縮する段階と、
上記圧縮されるオーディオトラックと加速されるビデオ信号とを同期させて上記テレビ受像機に送信する段階とを含み、
上記圧縮は、上記ビデオプログラムの上記加速の相対量に比例する方法。
【請求項２２】
上記低速モード時の上記ビデオプログラムの減速の相対量を指示するユーザ入力コマンドを受信する段階と、
最小のピッチ歪みで上記オーディオトラックの所要時間を伸長する段階とを更に含み、
上記伸長は、上記ビデオプログラムの上記減速の相対量に比例する請求項２１記載の方法。
【請求項２３】
上記伸長されるオーディオトラックと上記減速されるビデオ信号とを同期させて、上記テレビ受像機に送信する請求項２２記載の方法。
【発明の詳細な説明】
【０００１】
本発明は一般的に、ビデオ再生装置、及び、より詳細には、オーディオトラックをピッチの歪みなく早送りモード及び低速モードでビデオを再生するシステムに関する。
【０００２】
様々な種類のビデオ再生装置が市場において入手可能である。多くの人は、ビデオテープレコーダ（ＶＴＲ）とも称されるビデオカセットレコーダ（ＶＣＲ）を所有するか又はよく知っている。最近では、磁気カセットテープではなくコンピュータ磁気ハードディスクを使用してビデオプログラムを格納するビデオレコーダが登場した。例えば、ＲｅｐｌａｙＴＶ（商標）レコーダ及びＴｉＶＯ（商標）レコーダは、例えば、ＭＥＰＧ−２圧縮を使用してハードディスクドライブ上にテレビ番組をデジタル記録する。更に、一部のビデオ再生装置は、磁気ディスクではなく、読み書き可能なデジタル・バーサトル・ディスク（ＤＶＤ）上に記録する。
【０００３】
ビデオプログラムを再生可能な略全てのシステムは、早送り及び巻戻し機能を有し、一部のシステムは、可変早送り及び巻戻し速度を有する。ビデオプログラムを早送りする際、ビデオプログラムのオーディオの部分は通常消される。この技術において周知であるように、巻戻し又は早送りに関係なくビデオプログラムの速度を増加する又は減少することによって、オーディオに歪みが発生する。これは、オーディオは容易にサブサンプリングすることができないという事実によるものである。品質への影響を最小にして音声の再生を５０％速める方法がある。しかし、これは、高速再生モード及びオーディオトラックの音声のないセグメントには十分ではない。
【０００４】
従って、この技術において、早送りモード及び低速モード時に、最小のピッチの歪みで、ビデオプログラムに関連付けられるオーディオトラックを再生する機器が必要である。
【０００５】
上述した従来技術における欠点に対処するために、本発明は、接続されるテレビ受像機上で、早送りモード及び低速モードでビデオプログラムを再生可能なビデオ再生装置に使用するための、早送りモード及び低速モードでビデオプログラムに関連付けられるオーディオトラックを再生する機器を提供することを目的とする。本発明の１つの有利な実施例によると、この装置は、１）早送りモード時のビデオプログラムの加速の相対量を指示するユーザ入力コマンドを受信可能なビデオ再生コントローラと、２）オーディオトラックを受信し、最小のピッチ歪みでオーディオトラックの所要時間を圧縮可能なオーディオプロセッサと、３）オーディオプロセッサに接続され、早送りモード時に、圧縮されたオーディオトラックとビデオプログラムに関連付けられる加速されるビデオ信号を受信可能なビデオプロセッサとを含み、圧縮は、ビデオプログラムの加速の相対量に比例する。ビデオプロセッサは、圧縮されたオーディオトラックと加速されるビデオ信号を同期させて、テレビ受像機に送信する。
【０００６】
本発明の１つの実施例では、ビデオ再生コントローラは、低速モード時のビデオプログラムの減速の相対量を指示するユーザ入力コマンドを受信可能であり、オーディオプロセッサは、最小のピッチ歪みでオーディオトラックの所要時間を伸長可能であり、この伸長は、ビデオプログラムの減速の相対量に比例する。
【０００７】
本発明の別の実施例では、ビデオプロセッサは、低速モード時に、伸長されたオーディオトラックとビデオプログラムに関連付けられる減速されるビデオ信号を受信可能であり、ビデオプロセッサは、伸長されたオーディオトラックと減速されるビデオ信号を同期させて、テレビ受像機に送信する。
【０００８】
本発明の更なる実施例では、装置は、オーディオプロセッサに接続され、少なくとも１つの圧縮アルゴリズムに関連付けられる実行可能な命令を格納可能なメモリを更に含む。
【０００９】
本発明の更なる実施例では、上述のメモリは、少なくとも１つの伸長アルゴリズムに関連付けられる実行可能な命令を格納可能である。
【００１０】
前記は、当業者が以下に示す本発明の詳細な説明を良好に理解できるよう本発明の特徴及び技術的な利点の概要をまとめたものである。本発明の追加の特徴及び利点は、以下に、本発明の特許請求の範囲の対象として説明する。当業者は、開示される概念及び特定の実施例を基礎として使用し、本発明の構造を変更する又は本発明と同じ目的を実行する他の構造を設計することが容易であることを理解するものとする。当業者は更に、そのような等価の構造は、本発明のその広義における目的及び範囲を逸脱しないことを認識するものとする。
【００１１】
詳細な説明に進む前に、本願に使用する特定の単語及び表現を定義付けすることが有利であると思われる。「含む」、「〜からなる」という用語、及び、それらの派生語は、非制限的な包含を指し、「又は」という用語は包含的であるので、「及び／又は」を指し、「関連付けられる」という用語、及び、その派生語は、含む、〜に含まれる、相互接続する、包含する、〜に包含される、接続する、結合する、〜という特性を有する、等を指す。また、「コントローラ」という用語は、少なくとも１つの動作を制御する任意の装置、システム、又は、システムの一部を指し、このような装置は、ハードウェア、ファームウェア、又は、ソフトウェア、若しくは、これらの少なくとも２つの組み合わせに組み込まれてもよい。尚、任意の特定のコントローラに関連付けられる機能性は、ローカル又はリモートで中央管理されても分配されてもよい。特に、コントローラは、１つ以上のアプリケーションプログラム及び／又はオペレーティングシステムプログラムを実行させる１つ以上のデータプロセッサ、関連付けられる入力／出力装置、及び、関連付けられるメモリを含む。特定の単語及び表現の定義は、本願全体を通して与えられており、当業者は、このような定義のうちの多くは、さもなければ、ほとんどは、定義される単語及び表面の従来のみならず将来における使用にも適用されることを理解するものとする。
【００１２】
本発明及びその利点をより完全に理解するために、添付図面と共に以下の説明を参照する。この説明では、同様の符号は、同様の対象物を示す。
【００１３】
以下に説明する図１乃至図３、及び、本願において本発明の原理を説明するために使用する様々な実施例は、例示的に過ぎず、本発明の範囲を制限しないことを理解するものとする。当業者は、本発明の原理は、任意の好適に構成されるビデオ再生装置に組み入れられることを理解するものとする。
【００１４】
図１は、本発明の１つの実施例によるビデオ再生装置１５０及びテレビ受像機１０５を示す。ビデオ再生装置１５０は、外部情報源、例えば、ケーブルテレビジョンサービスプロバイダ（ケーブル会社）又は他の電話会社のセットトップボックス、ローカルアンテナ、インターネット、又は、取付けられたＤＶＤ若しくはＶＨＳテーププレーヤから入来テレビジョン信号を受信し、視聴者によって選択されるチャンネルをテレビ受像機１０５に送信する。記録モードでは、ビデオ再生装置１５０は入来無線周波数（ＲＦ）テレビジョン信号を変調してベースバンドビデオ信号を生成し、この信号は、ビデオ再生装置１５０内にあるか又は接続される記録媒体に記録及び格納される。再生モードでは、ビデオ再生装置１５０は、ユーザによって選択された格納されているベースバンドビデオ信号（即ち、プログラム）を記録媒体から読出しし、それをテレビ受像機１０５に送信する。
【００１５】
例えば、ビデオ再生装置１５０が、ビデオテープレコーダ（ＶＴＲ）とも称されるビデオカセットレコーダ（ＶＣＲ）である場合、ビデオ再生装置１５０は、磁気カセットテープに入来テレビジョン信号を格納し、磁気カセットテープから入来テレビジョン信号を引出しする。ビデオ再生装置１５０が、例えば、ＲｅｐｌａｙＴＶ（商標）レコーダ又はＴｉＶＯ（商標）レコーダといったディスクドライブ型装置である場合、ビデオ再生装置１５０は、磁気カセットテープではなくコンピュータ磁気ハードディスクに入来テレビジョン信号を格納し、コンピュータ磁気ハードディスクから入来テレビジョン信号を引出しする。他の実施例では、ビデオ再生装置１５０は、ローカルの読み書き可能な（Ｒ／Ｗ）デジタル・バーサトル・ディスク（ＤＶＤ）又はＲ／Ｗ　ＣＤ−ＲＯＭに格納し且つローカルの読み書き可能な（Ｒ／Ｗ）デジタル・バーサトル・ディスク（ＤＶＤ）又はＲ／Ｗ　ＣＤ−ＲＯＭから引出ししてもよい。従って、ローカルの記録媒体は、固定されても（即ち、ハードディスクドライブ）又は着脱可能にされてもよい（即ち、ＤＶＤ、ＣＤ−ＲＯＭ）。
【００１６】
ビデオ再生装置１５０は、赤外線（ＩＲ）センサ１６０を含み、視聴者によって操作される遠隔制御装置からのコマンド（例えば、チャンネルの番号の制御、音量調節、記録、再生、早送り（ＦＦ）、及び、巻戻し等）を受信する。テレビ受像機１０５は従来のテレビジョンであって、画面１１０、赤外線（ＩＲ）センサ１１５、及び、１つ以上の手動制御部１２０（点線で示す）を含む。ＩＲセンサ１１５も、試聴者によって操作される遠隔制御装置からのコマンド（音量調節、電源オンオフ等）を受信する。
【００１７】
尚、ビデオ再生装置１５０は、特定の種類の情報源からの特定の種類の入来テレビジョン信号を受信するのに制限されるわけではない。上述したように、外部情報源は、ケーブルサービスプロバイダ、従来のＲＦ放送アンテナ、衛星放送受信アンテナ、インターネット接続、又は、例えば、ＤＶＤプレーヤ又はＶＨＳテーププレーヤといった他のローカル記録装置であってもよい。一部の実施例では、ビデオ再生装置１５０は、記録することはできないが、着脱可能なＤＶＤ又はＣＤ−ＲＯＭから引出しされるテレビジョン信号を再生することだけが可能な場合がある。従って、入来信号はデジタル信号、アナログ信号、又は、任意の他の通信プロトコルのインターネットプロトコル（ＩＰ）パケットであってよい。しかし、本発明の原理の説明を単純且つ明快にするよう、以下の説明は、ビデオ再生装置１５０はケーブルサービスプロバイダから入来テレビジョン信号（アナログ及び／又はデジタル）を受信する実施例に関する。しかし、当業者は、本発明の原理は、無線放送テレビジョン信号、ローカル記憶システム、ＭＥＰＧデータを含むＩＰパケットの入来ストリーム等に共に使用するのに容易に適用できることを理解するものとする。
【００１８】
図２は、本発明の１つの実施例による例示的なビデオ再生装置１５０をより詳細に示す。ビデオ再生装置１５０は、ＩＲセンサ１６０、ビデオプロセッサ２１０、ＭＰＥＧ２エンコーダ２２０、ハードディスクドライブ２３０、ＭＥＰＧ２デコーダ／ＮＴＳＣエンコーダ２４０、及び、ビデオレコーダ（ＶＲ）コントローラ２５０を含む。ビデオ再生装置１５０は更に、ビデオバッファ２６０、オーディオ圧縮／伸長プロセッサ２７０、及び、圧縮／伸長アルゴリズム２８０を含み、圧縮／伸長アルゴリズム２８０は、多数の周知のオーディオ圧縮及びオーディオ伸長アルゴリズムのうちの１つ以上を、オーディオ圧縮／伸長プロセッサ２７０によって実行される一連のプログラム命令としての格納する。
【００１９】
オーディオ圧縮及び伸長技術は、低いピッチ歪み又は最小のピッチ歪みでオーディオ信号を再生するために使用される。高速又は低速再生時にオーディオ信号を圧縮又は伸長する装置及び方法は、Ｄｅｇｅｎ外への「Ａｐｐａｒａｔｕｓ ａｎｄ Ｍｅｔｈｏｄ ｆｏｒ Ｐｌａｙｉｎｇ Ｂａｃｋ Ａｕｄｉｏ ａｔ Ｆａｓｔ ｏｒ Ｓｌｏｗｅｒ Ｒａｔｅｓ Ｗｉｔｈｏｕｔ Ｐｉｔｃｈ Ｄｉｓｔｏｒｔｉｏｎ」なる名称の米国特許第５，３８６，４９３号、Ｖｏｇｔｅｎ外への「Ｍｅｔｈｏｄ ａｎｄ Ａｐｐａｒａｔｕｓ ｆｏｒ Ｍａｎｉｐｕｌａｔｉｎｇ Ｐｉｔｃｈ ａｎｄ／ｏｒ Ｄｕｒａｔｉｏｎ ｏｆ ａ Ｓｉｇｎａｌ」なる名称の米国特許第５，４７９，５６４号、及び、Ｓｈｌｏｍｏｔ外への「Ｖａｒｉａｂｌｅ Ｓｐｅｅｄ Ｐｌａｙｂａｃｋ Ｓｙｓｔｅｍ」なる名称の米国特許第５，６９４，５２１号に開示される。上述した米国特許は全て、本開示に、その全体を参考として組込む。本発明の有利な実施例では、上述した特許に開示される１つ以上の圧縮／伸長アルゴリズムが、圧縮／伸長アルゴリズム２８０に格納され、オーディオ圧縮／伸長プロセッサ２７０によって実行される。
【００２０】
ＶＲコントローラ２５０はビデオ再生装置１５０の全体の動作を管理し、全体の動作には、視聴モード、記録モード、再生モード、早送り（ＦＦ）モード、巻戻しモード等が含まれる。視聴モードでは、ＶＲコントローラ２５０によって、ケーブルサービスプロバイダからの入来テレビジョン信号は、ビデオプロセッサ２１０によって変調且つ処理され、ハードディスクドライブ２３０に格納又はハードディスクドライブ２３０から引出しされることなく、テレビ受像機１０５に送信される。ビデオプロセッサ２１０は、例えば、ＴｒｉＭｅｄｉａ（ＴＭ）１１００メディアプロセッサであり、無線周波数（ＲＦ）フロントエンド回路を含み、これは、ケーブルサービスプロバイダから入来テレビジョン信号を受信し、ユーザによって選択されるチャンネルに合わせ、選択されたＲＦ信号を、テレビ受像機１０５に表示するのに好適なベースバンドテレビジョン信号（例えば、スーパビデオ信号）に変換する。ビデオプロセッサ２１０は更に、再生モード時に、ＭＰＥＧ２デコーダ／ＮＴＳＣエンコーダ２４０から従来のＮＴＳＣ、ＰＡＬ、又は、ＳＥＣＡＭ信号を（ビデオバッファ２６０にバッファリングされる後に）受信し、ベースバンドテレビジョン信号（例えば、スーパビデオ信号）をテレビ受像機１０５に送信することができる。
【００２１】
記録モードでは、ＶＲコントローラ２５０によって、入来テレビジョン信号はハードディスクドライブ２３０に格納される。ＶＲコントローラ２５０の制御下で、ＭＰＥＧ２エンコーダ２２０は、ケーブルサービスプロバイダから入来テレビジョン信号を受信し、受信したＲＦ信号をＭＰＥＧフォーマットに変換し、ハードディスクドライブ２３０に格納する。再生モードでは、ＶＲコントローラ２５０は、ハードディスクドライブ２３０に命令して、格納されたテレビジョン信号（即ち、プログラム）をＭＰＥＧ２デコーダ／ＮＴＳＣエンコーダ２４０に供給させる。ＭＰＥＧ２デコーダ／ＮＴＳＣエンコーダ２４０は、ハードディスクドライブ２３０からのＭＥＰＧ２データを、例えば、スーパビデオ（Ｓビデオ）信号に変換し、この信号は、ビデオプロセッサ２１０によってテレビ受像機１０５に送信される前に、ビデオバッファ２６０にバッファリングされる。
【００２２】
尚、ＭＰＥＧ２エンコーダ２２０及びＭＥＰＧ２デコーダ／ＮＴＳＣエンコーダ２４０に使用するＭＥＰＧ２規格は例示的に過ぎない。本発明の別の実施例では、ＭＰＥＧエンコーダ及びデコーダは、ＭＥＰＧ１、ＭＰＥＧ２、ＭＰＥＧ４、及び、ＭＰＥＧ７規格のうち１つ以上に準拠し得る。
【００２３】
本願及び本発明の特許請求の範囲の目的において、ハードディスクドライブ２３０は、任意の読み書き可能な大容量記憶装置を含むものとし、この大容量記憶装置には、従来の磁気ディスクドライブ、ビデオカセットレコーダ（ＶＣＲ）又はビデオテープレコーダ（ＶＴＲ）用の磁気テープ、及び、読み書き用デジタル・バーサトル・ディスク（ＤＶＤ−ＲＷ）、書換え可能なＣＤ−ＲＯＭ等用の光学ディスクドライブが含まれる。実際に、その意味で、ハードディスクドライブ２３０は従来のように、ビデオ再生装置１５０に永久的に埋め込まれて固定される必要はない。むしろ、ハードディスクドライブ２３０は、記録ビデオ及びオーディオプログラムを格納するための、ビデオ再生装置１５０専用の任意の大容量装置を含む。従って、ハードディスクドライブ２３０は、取付けられる周辺ドライブ又は着脱可能なディスクドライブ（埋め込まれていても、取付けられていてもよい）を含み、例えば、読み書き用ＤＶＤ又は書換え可能なＣＤ−ＲＯＭを保持するジュークボックス装置が挙げられる。更に、本発明の有利な実施例では、ハードディスクドライブ２３０は、ビデオ再生装置１５０が、ネットワーク接続（例えば、インターネットプロトコル（ＩＰ）接続）を介しアクセスし制御する外部の大容量記憶装置を含んでもよく、例えば、ユーザの家庭用パーソナルコンピュータ（ＰＣ）におけるディスクドライブ、又は、ユーザのインターネットサービスプロバイダ（ＩＳＰ）のサーバ上のディスクドライブが挙げられる。
【００２４】
再生モード時には、例えば、ＶＲコントローラ２５０は、ＩＲセンサ１６０を介しユーザから早送り（ＦＦ）コマンドを受信する。早送りモードでは、ビデオ再生装置１５０は、ビデオバッファ２６０、オーディオ圧縮／伸長プロセッサ２７０、及び、圧縮／伸長アルゴリズム２８０を使用して、最小のピッチ歪みでオーディオ信号の選択される部分を再生できる。早送りコマンドを受信すると、ＶＲコントローラ２５０は、ハードディスクドライブ２３０及びＭＰＥＧ２デコーダ／ＮＴＳＣエンコーダ２４０に、早送り速度でビデオを再生するようにさせる。しかし、ＶＲコントローラ２５０は更に、ビデオプロセッサ２１０に命令し、オーディオ信号の供給源として、ＭＰＥＧ２デコーダ／ＮＴＳＣエンコーダ２４０のオーディオ出力を受信することを停止させる。その代わり、ビデオプロセッサ２１０は、オーディオ信号の供給源として、オーディオ圧縮／伸長プロセッサ２７０の出力からオーディオ信号を受信するよう切替えられる。
【００２５】
図３は、本発明の１つの実施例に従って例示的なビデオ再生装置１５０の動作を示すフローチャート３００である。再生モード時に、ＶＲコントローラ２５０は、早送り又は低速モード入力コマンドを受信する。ＶＲコントローラ２５０は、ユーザ入力から加速及び減速の率を決定する（処理ステップ３０５）。再生速度が加速する又は減少するに連れて、オーディオトラックの所要時間は、最小のピッチ歪みで圧縮される。対応するビデオはビデオバッファ２６０にバッファリングされる。圧縮は、ビデオプログラムの加速及び減速の相対量に正比例する（処理ステップ３１０）。
【００２６】
続いて、再生されるビデオからのオーディオトラックは、オーディオ圧縮／伸長プロセッサ２７０によって受信される。オーディオは、低速再生では伸長され、早送りモードでは圧縮される。伸長及び圧縮は、ユーザによって選択される減速又は加速の率に比例する（処理ステップ３１５）。圧縮又は伸長されたオーディオは、ビデオバッファ２６０からの早送り又は低速再生されるビデオの対応する部分と同期されてテレビ受像機に転送される（処理ステップ３２０）。
【００２７】
オーディオ圧縮／伸長アルゴリズムは、再生速度に応じてオーディオ信号を調節するよう使用される。再生速度が増加するにつれて、オーディオ圧縮は増加する。再生速度が減少するにつれて、アルゴリズムは、圧縮率を低下させる。再生速度が標準より低速となると、オーディオ伸長率が増加する。オーディオ圧縮及び伸長の率は、再生速度に正比例する。
【００２８】
本発明を詳細に説明したが、当業者は、本発明及びその広義の解釈における目的及び範囲から逸脱することなく様々な変更、置換、及び、代替が可能であることを理解すべきである。
【図面の簡単な説明】
【図１】
本発明の実施例による例示的なビデオ再生装置及びテレビ受像機を示す図である。
【図２】
本発明の１つの実施例による例示的なビデオ再生装置の詳細を示す図である。
【図３】
本発明の１つの実施例による例示的なビデオ再生装置の動作を示すフローチャートである。
【図１】
2004511970.tif 000003
【図２】
2004511970.tif 000004
【図３】
2004511970.tif 000005
【国際公開パンフレット】
2004511970.tif 000006
2004511970.tif 000007
2004511970.tif 000008
2004511970.tif 000009
2004511970.tif 000010
2004511970.tif 000011
2004511970.tif 000012
2004511970.tif 000013
2004511970.tif 000014
2004511970.tif 000015
2004511970.tif 000016
2004511970.tif 000017
2004511970.tif 000018
2004511970.tif 000019
2004511970.tif 000020
2004511970.tif 000021
2004511970.tif 000022
2004511970.tif 000023
【国際公開パンフレット（コレクトバージョン）】
2004511970.tif 000024
2004511970.tif 000025
【国際調査報告】
2004511970.tif 000026
2004511970.tif 000027
2004511970.tif 000028